(57)【要約】      （修正有）【課題】エンジン出力調整操作部に対する操作を簡単に行うことができる背負式動力噴霧機を提供する。【解決手段】背負式動力噴霧機１は、ポンプ２と、ポンプ２の駆動源であるエンジン３と、燃料タンク４と、噴霧又は散布する液体を収容する薬液タンク５と、これら各部材（ポンプ２、エンジン３、燃料タンク４、薬液タンク５）を支持する背負枠６と、作業者の肩に掛けるための担ぎ帯７と、エンジン３の出力を調整するエンジン出力調整操作部８とを備えたものである。【選択図】図２
0003131294.tif 000002
【実用新案登録請求の範囲】
【請求項１】
背負枠と、当該背負枠に支持されるエンジンと、当該エンジンの出力を調整するためのエンジン出力調整操作部と、作業者が担ぐための担ぎ帯とを備えた背負式動力噴霧機であって、
前記エンジン出力調整操作部が、前記担ぎ帯のうち作業者が担いだ状態において作業者にとって前方を向く部位に取り付けたものであることを特徴とする背負式動力噴霧機。
【請求項２】
前記エンジンの駆動を停止させる停止操作部を、前記担ぎ帯のうち作業者が担いだ状態において作業者にとって前方を向く部位に設けていることを特徴とする請求項１記載の背負式動力噴霧機。
【請求項３】
前記エンジン出力調整操作部と前記停止操作部とをユニット化している請求項２記載の背負式動力噴霧機。
【請求項４】
担ぎ帯が左右の肩にそれぞれ掛けられる一対の帯体を備えたものであり、作業者が担いだ状態において一対の帯体のうち一方の帯体側に操作桿が位置し、当該一方の帯体に前記エンジン出力調整操作部を設けている請求項１、２又は３記載の背負式動力噴霧機。
【考案の詳細な説明】
【技術分野】
【０００１】
本考案は、背負式動力噴霧機に関するものである。
【背景技術】
【０００２】
従来より、背負枠にエンジンを搭載し、担ぎ帯を作業者の肩に掛けて背負枠及びエンジンを背負った状態で噴霧作業を行うことができる背負式動力噴霧機が知られている。この種の背負式動力噴霧機は、背負った状態で右手又は左手で把持した操作桿を特定の目標物へ向ける或いは向けてスイングすることによって噴霧作業を行うことができるものであり、エンジンの出力調整を行うエンジン出力調整操作部（スロットルレバー）を背負枠のうち作業者が手首を後方へ返して届く位置に設けているのが通例である（例えば下記特許文献１）。
【特許文献１】特開２００６―７６２号公報（図１及び図９参照）
【考案の開示】
【考案が解決しようとする課題】
【０００３】
しかしながら、従来のものは、作業者が背負った状態においてスロットルレバーが作業者の背中側に位置し、手首を後方に返した状態でスロットルレバーを操作しなければならず、操作性に劣るという問題があった。特に、初めて操作する者等、操作に不慣れなものにとっては非常に操作し難く、実用性に欠けるものであった。
【０００４】
本考案は、このような課題に着目してなされたものであって、主たる目的は、エンジン出力調整操作部に対する操作を簡単に行うことができる背負式動力噴霧機を提供することにある。
【課題を解決するための手段】
【０００５】
すなわち、本考案の背負式動力噴霧機は、背負枠と、当該背負枠に支持されるエンジンと、当該エンジンの出力を調整するためのエンジン出力調整操作部と、作業者が担ぐための担ぎ帯とを備えたものであって、前記エンジン出力調整操作部が、前記担ぎ帯のうち作業者が担いだ状態において作業者にとって前方を向く部位に取り付けたものであることを特徴とする。
【０００６】
ここで、「担ぎ帯のうち作業者が担いだ状態において作業者にとって前方を向く部位」とは、「担ぎ帯のうち作業者が担いだ状態において正面を向く部位」を意味する。また、エンジン出力調整操作部は、エンジンの出力を調整するための操作部であればよく、レバー状のもの或いはダイヤル状のもの等その操作態様や形状は特に問わない。
【０００７】
このようなものであれば、作業者が背負式動力噴霧機を背負った状態でエンジン出力調整操作部を操作する際、作業者は肘を手前に曲げるだけでエンジン出力調整操作部にアクセスすることができ、従来のように手首を後方に返す必要がなく、エンジン出力調整操作部に対する操作を簡単に行うことができる。さらに、エンジン出力調整操作部が、担ぎ帯のうち作業者が担いだ状態において正面を向く部位に取り付けているため、担いだ状態でエンジン出力調整操作部の位置を容易に把握することができ、初めて操作する者等、操作に不慣れな者にとっても操作し易く、実用性に富むものとなる。
【０００８】
このように、本考案の背負式動力噴霧機は、背負った状態で作業者が肘を手前に曲げることによってアクセス可能な部位にエンジン出力調整操作部を設けることにより、エンジン出力調整操作部に対する操作が向上し、使い勝手に優れたものである。
【０００９】
また、エンジンの駆動を停止させる停止操作部を、前記担ぎ帯のうち作業者が担いだ状態において前方を向く部位に設けていれば、エンジン出力調整操作部と同様に、作業者は手首を後方に返すことなく楽な姿勢で停止操作部にアクセスすることができ、停止操作部に対する操作を簡単に行うことができるとともに、担いだ状態で停止操作部の位置を把握することができ、緊急停止を要する場合にも、停止操作部を慌てて手探りで探すことなく、停止操作部に対する操作を的確に行うことができる。
【００１０】
担ぎ帯に対するエンジン出力調整操作部及び停止操作部の取付作業を効率良く行うようにするには、前記エンジン出力調整操作部と前記停止操作部とをユニット化することが望ましい。このようにすれば、エンジン出力調整操作部及び停止操作部の各配置位置を相互に接近した位置にレイアウトすることができ、エンジン出力調整操作部から停止操作部へのアクセスを極めて容易に行うことができ、更なる操作性の向上を図ることができる。
【００１１】
特に、担ぎ帯が左右の肩にそれぞれ掛けられる一対の帯体を備えたものであり、作業者が担いだ状態において一対の帯体のうち一方の帯体側に操作桿が位置し、当該一方の帯体に前記エンジン出力調整操作部を設けていれば、エンジン出力調整操作部を操作桿が位置する側とは反対側の他方の帯体に設けた態様と比較して、作業者が一方の手で操作桿を把持しながら、他方の手でエンジン出力調整操作部を操作する際、無理な肘の曲げ姿勢を強いられることなく、楽な姿勢でエンジン出力調整操作部を操作することができ、操作性向上に資する。
【考案の効果】
【００１２】
以上説明したように本考案によれば、背負式動力噴霧機におけるエンジン出力調整操作部の操作性向上を図ることができる。
【考案を実施するための最良の形態】
【００１３】
以下、本考案の一実施形態を、図面を参照して説明する。
【００１４】
本実施形態に係る背負式動力噴霧機１は、図１及び図２に示すように、ポンプ２と、ポンプ２の駆動源であるエンジン３と、燃料タンク４と、噴霧又は散布する液体を収容する薬液タンク５と、これら各部材（ポンプ２、エンジン３、燃料タンク４、薬液タンク５）を支持する背負枠６と、作業者の肩に掛けるための担ぎ帯７と、エンジン３の出力を調整するエンジン出力調整操作部８とを備えたものである。ポンプ２、エンジン３、燃料タンク４及び薬液タンク５については周知のものを適用しているため、詳細な説明は省略する。
【００１５】
背負枠６は、台座部６１と、作業者が背負った状態において作業者の背中に当たり得る背当て部６２とを備えたものである。本実施形態ではそれぞれ別パーツの台座部６１と背当て部６２とを一体的に組み付けている。
【００１６】
担ぎ帯７は、作業者の左右の肩にそれぞれ掛けられる一対の帯体７１を備えたものである。各帯体７１は、相対的に幅広なクッション体７１１と、相対的に幅狭な帯本体７１２とを厚み方向に積層したものである。本実施形態では、クッション体７１１と帯本体７１２とを所定ピッチで縫合することによって一体的に相互に分離不能に取り付けている。また、帯本体７１２の上下端部を、クッション体７１１の上下端部よりもそれぞれ上方、下方に延伸させ、帯本体７１２の上端部を薬液タンク５に固定するとともに、帯本体７１２の下端部を背負枠６の台座部６１に取り付けている。本実施形態では、薬液タンク５に対する帯本体７１２の上端部の取付位置を、薬液タンク５の上面部のうち後端側に寄った位置に設定している。
【００１７】
エンジン出力調整操作部８は、エンジン３のスロットルバルブに接続されたスロットルワイヤに接続されたものである。本実施形態では、スロットルワイヤの外周面を保護管Ｐによって覆っている。なお、後述する停止操作部９に接続された停止線（コード）もスロットルワイヤと共に保護管Ｐに被覆されている。本実施形態では、エンジン出力調整操作部８として、概略ダイヤル状のものと適用している。しかして、このエンジン出力調整操作部８は、担ぎ帯７のうち作業者が担いだ状態において正面を向く部位、すなわち作業者にとって前方を向く部位に適宜の手段によって取り付けられている。本実施形態に係るエンジン出力調整操作部８は、作業者が把持して時計方向又は反時計方向に回転させることによってエンジン３の出力量を調整可能にしたものである。なお、エンジン出力調整操作部８の回転具合、すなわちエンジン３の出力量を、エンジン出力調整操作部８を目視せずとも指の操作感覚で把握できるように、概略円盤状のエンジン出力調整操作部本体８１の外面に他の部位より外方に向かって突出させた突出部８２を設けている。本実施形態では、突出部８２として、エンジン出力調整操作部本体８１の外側面に設けたボルトを適用している。
【００１８】
また、エンジン出力調整操作部８と同様に、エンジン３の駆動を停止させる停止操作部９を、担ぎ帯７のうち作業者が担いだ状態において正面を向く部位に設けている。本実施形態では、停止操作部９とエンジン出力調整操作部８とをユニット化している。この停止操作部９は、ユニットケースＵのうち前方に向かって漸次下方に傾斜させた上向き傾斜部Ｕ１に設けている。停止操作部９として、シーソータイプのスイッチを適用している。
【００１９】
このような構成をなす背負式動力噴霧機１は、図２に示すように、担ぎ帯７の各帯体７１を作業者の左右の肩にそれぞれ掛けて背負った状態で、先端に噴霧ノズルを設けた操作桿Ｓ（図１では省略）を片手（図２では右手）に持って噴霧作業を行うことができる。そして、図示しないエンジンスタータのレバーを引くことによってエンジン３を駆動し、担ぎ帯７のうち作業者が担いだ状態において正面を向く部位に設けたエンジン出力調整操作部８を把持して所定方向に回動させることによって、エンジン３の出力調整を行うことができるとともに、エンジン出力調整操作部８の近傍に設けた停止操作部９に対して所定の操作（本実施形態ではシーソータイプのスイッチを押す操作）を行うことによって、エンジン３の駆動を停止することができる。
【００２０】
このように、本実施形態に係る背負式動力噴霧機１は、エンジン出力調整操作部８を、担ぎ帯７のうち作業者が担いだ状態において作業者にとって前方を向く部位に取り付けたものであるため、作業者が背負式動力噴霧機１を背負った状態でエンジン出力調整操作部８を操作する際、作業者は肘を曲げるだけでエンジン出力調整操作部８にアクセスすることができ、従来のように手首を後方に返す必要がなく、エンジン出力調整操作部８に対する操作を簡単に行うことができる。また、背負った状態でエンジン出力調整操作部８を視認することができ、初めて操作する者等、操作に不慣れな者にとっても操作し易く、実用性に富むものとなる。
【００２１】
さらに、エンジン３の駆動を停止させる停止操作部９を、担ぎ帯７のうち作業者が担いだ状態において作業者にとって前方を向く部位に設けているため、エンジン出力調整操作部８と同様に、作業者は手首を後方に返すことなく楽な姿勢で停止操作部９にアクセスすることができ、停止操作部９に対する操作を簡単に行うことができる。また、背負った状態で停止操作部９を視認することができ、緊急停止を要する場合にも、停止操作部９を慌てて手探りで探すことなく、停止操作部９に対する操作を的確に行うことができる。
【００２２】
加えて、エンジン出力調整操作部８と停止操作部９とをユニット化しているため、担ぎ帯７に対するエンジン出力調整操作部８及び停止操作部９の取付作業を効率良く行うことができるとともに、エンジン出力調整操作部８及び停止操作部９の各配置位置を相互に接近した位置にレイアウトすることができ、エンジン出力調整操作部８から停止操作部９へのアクセスを極めて容易に行うことができ、更なる操作性の向上を図ることができる。
【００２３】
なお、本考案は、以上に詳述した実施形態に限られるものではない。
【００２４】
例えば、図２では、作業者が背負った状態において一対の帯体のうち一方の帯体側に操作桿が位置し、この一方の帯体とは逆の帯体にエンジン出力調整操作部を設けた態様（以下、「前者の態様」と称す）を例示したが、これとは逆に、エンジン出力調整操作部を操作桿が位置する側の帯体に設けた態様（以下、「後者の態様」と称す）を採用しても構わない。作業者が一方の手で操作桿を把持しながら、他方の手でエンジン出力調整操作部を操作する際、前者の態様では、肘を深く曲げる、或いは手首を手前へ返す動作が必要となる場合もあり得るが、後者の態様であれば、無理な肘の曲げ姿勢や手首の返しを強いられることなく、楽な姿勢でエンジン出力調整操作部を操作することができる。
【００２５】
また、担ぎ帯が、作業者の前方側において一対の帯体同士を接続する接続帯を備えたものである場合、この接続部にエンジン出力調整操作部及び／又は停止操作部を設けてもよい。
【００２６】
また、各帯体の形状や構造（複数層状のものであるか否か等）、素材等も適宜変更しても構わない。
【００２７】
また、エンジン出力調整操作部としてレバー状のものを適用する等、エンジン出力調整操作部や停止操作部の形状や構造も前記実施形態で示したものに限定されないことはいうまでもない。
【００２８】
また、エンジン出力調整操作部と停止操作部とをそれぞれ個別に担ぎ帯に取り付けるようにしてもよい。
【００２９】
その他、各部の具体的構成についても上記実施形態に限られるものではなく、本考案の趣旨を逸脱しない範囲で種々変形が可能である。
【図面の簡単な説明】
【００３０】
【図１】本考案の一実施形態に係る背負式動力噴霧機の全体概略図。
【図２】同実施形態に係る背負式動力噴霧機の使用状態を示す図。
【符号の説明】
【００３１】
１…背負式動力噴霧機
３…エンジン
６…背負枠
７…担ぎ帯
７１…帯体
８…エンジン出力調整操作部
９…停止操作部
Ｓ…操作桿
【図１】
0003131294.tif 000003
【図２】
0003131294.tif 000004